(57)【要約】      （修正有）【課題】過電流による過熱、該過熱の進行に伴う前記電気回路の機器の損傷、絶縁材の溶融、さらにそれらの焼損を防止し、電気回路の保護とともに安全性を確保するジャンパープラグを提供する。【解決手段】プラグピン１ａ，１ｂの後端部２ａ,２ｂ間に温度ヒューズ３を接続したジャンパープラグ、また、前記温度センサー３及びプラグピン１ａ，１ｂの後端部２ａ、２ｂに絶縁ケース６を被嵌したジャンパープラグ、好ましくは、前記絶縁ケース６に指掛け部が形成されてなるジャンパープラグ。【選択図】図３
0003141813.tif 000002
【実用新案登録請求の範囲】
【請求項１】
プラグピンの後端部間に温度ヒューズを接続したことを特徴とするジャンパープラグ。
【請求項２】
プラグピンの後端部間に温度ヒューズを接続し、該温度ヒューズ及び前記プラグピンの後端部に絶縁材ケースを被嵌したことを特徴とするジャンパープラグ。
【請求項３】
前記絶縁材ケースに指掛け部を形成したことを特徴とする請求項２に記載のジャンパープラグ。
【考案の詳細な説明】
【技術分野】
【０００１】
本考案は、電気回路に装着、あるいは取り外すことにより前記電気回路の開閉を行うジャンパープラグに関する。
【背景技術】
【０００２】
従来提供されているこの種のジャンパープラグは、平行に配置されたプラグピンの後端部がU字状又は直線状に連結されて一体に構成され、該U字状又は直線状の連結部を樹脂等の絶縁材でモールドしてなるものであった（特許文献１）。
【特許文献１】特開２００５−１３５８４１号公報
【考案の開示】
【考案が解決しようとする課題】
【０００３】
前記従来のジャンパープラグは、平行に配置されたプラグピンの後端部がU字状又は直線上に連結されて一体に構成されているため、該ジャンパープラグが装着された電気回路の機器、例えば、電力用の遠隔操作型給電停止／停止解除装置用無停電端子において、定格電流を超える過電流や電気回路の機器不良あるいは電線接続不良などが生じた場合にも導通し続け、通電電流により際限なく過熱が進行し、前記電気回路の機器の損傷、前記樹脂等の絶縁材の溶融、さらには焼損に至る危険な場合があった。
【０００４】
本考案は、前記事情に鑑みなされたもので、前記通電電流による過熱、該過熱の進行に伴う前記電気回路の機器の損傷、前記樹脂等の絶縁材の溶融、さらにはそれらの焼損を防止し、電気回路を保護するとともに安全性を確保することを目的とする。
【課題を解決するための手段】
【０００５】
前記目的を達成するため、請求項１に係る本考案に係るジャンパープラグは、プラグピンの後端部間に温度ヒューズを接続したことを特徴とする。
【０００６】
前記本考案では、ジャンパープラグを使用する電気回路において必要とされる電流値（定格電流）以上の電流が流れた場合、電気回路の機器不良あるいは電線接続不良による過熱により溶断する温度ヒューズを有するジャンパープラグを選択して使用される。
【０００７】
したがって、機器の定格電流を超える過電流や前記電気回路の機器不良あるいは電線接続不良などにより過熱の状態が生じた場合に前記温度ヒューズが溶断して前記電気回路が保護される。また、ジャンパープラグの樹脂等の絶縁材の溶融、さらにはその焼損が防止されて安全性が確保される。
【０００８】
請求項２に係るジャンパープラグは、プラグピンの後端部間に温度ヒューズを接続し、該温度ヒューズ及び前記プラグピンの後端部に絶縁材ケースを被嵌したことを特徴とする。なお、絶縁材ケースとしては樹脂等の成形品が使用される。
【０００９】
前記本考案によれば、前記温度ヒューズ及び前記プラグピンの後端部が外部から保護されるとともに装着及び取り外し時の安全性が確保される。さらに、装着及び取り外し時の取り扱いが容易である。
【００１０】
請求項３に係るジャンパープラグは、前記絶縁材ケースに指掛け部を形成したことを特徴とする。なお、指掛け部は外周面に設けた適宜の凹凸でよく、前記絶縁材ケースの成形時に容易に形成される。
【００１１】
この実施の一形態によれば、ジャンパープラグを指先によって摘むことが容易であり、電気回路に対するジャンパープラグの装着及び取り外しを簡単且つ迅速に行うことができる。
【考案の効果】
【００１２】
本考案によれば、機器の定格電流を超える過電流や前記電気回路の機器不良あるいは電線接続不良などにより過熱の状態が生じた場合にも前記電気回路が保護され、さらに安全性が確保される。
【考案を実施するための最良の形態】
【００１３】
以下、本考案の実施の一形態を、図面を参照して説明する。図１はジャンパープラグの正面図、図２は図１の側面図、図３は図２のII−II線の要部断面図、図４は温度ヒューズの溶融破断状態を示す要部断面図、図５は従来のジャンパープラグの一例を示す要部断面図である。
【００１４】
図５には、従来のジャンパープラグＡの一例が示されている。すなわち、平行に配置されたプラグピン１ａ,１ｂの後端部２ａ,２ｂ間が直接Ｕ字状１０に接続されて一体に構成されている。
【００１５】
本考案のジャンパープラグＢでは、前記プラグピン１ａ,１ｂの後端部２ａ,２ｂ間が直接接続されることなく、前記プラグピン１ａ,１ｂは分離独立させられ、前記後端部２ａ,２ｂ間に温度ヒューズ３が接続される。
【００１６】
図面実施の一例では、前記プラグピン１ａ，１ｂ前記の後端部２ａ，２ｂ間に対する前記温度ヒューズ３の接続は、前記温度ヒューズ３の両端のリード線４ａ,４ｂを前記プラグピン１ａ,１ｂの後端部２ａ,２ｂの筒状部に挿入してカシメ接続している。もっとも、該接続は他の手段であってもよい。
【００１７】
前記温度ヒューズ３は、ジャンパープラグＢが使用される電気回路において必要とされる電流値（定格電流）以上の電流が流れた場合や電気回路の機器の損傷温度以下で溶断する機能を有するものが準備される。
【００１８】
さらに、前記プラグピン１ａ,１ｂの後端部２ａ,２ｂがベース部材５に平行に保持される。具体的には、前記プラグピン１ａ,１ｂの後端部２ａ,２ｂの適位置が樹脂等の絶縁材でモールドされる。
【００１９】
さらに、前記温度ヒューズ３及び前記プラグピン１ａ,１ｂの後端部２ａ，２ｂに、樹脂等からなる絶縁ケース６が被嵌され、前記温度ヒューズ３及び前記プラグピン１ａ，１ｂの後端部２ａ，１ｂ部分が密封される。
【００２０】
図中、７は前記前記樹脂等の絶縁ケース６に形成された指掛け部であり、該絶縁ケース６の成形時に同時に形成される。
【産業上の利用可能性】
【００２１】
本考案は、電気回路の保護と安全性を確保することができるという効果を有し、各種の電気回路に極めて有用である。
【図面の簡単な説明】
【００２２】
【図１】本考案の実施の一形態に係るジャンパープラグの正面図である。
【図２】本考案の実施の一形態に係るジャンパープラグの側面図である。
【図３】図２のＩＩ−ＩＩ線の要部断面図である。
【図４】温度ヒューズの溶融破断状態を示す要部断面図である。
【図５】従来のジャンパープラグの一例を示す要部断面図である。
【符号の説明】
【００２３】
１ａ,１ｂ  プラグピン
２ａ,２ｂ（プラグピンの後端部）
３  温度ヒューズ
６  絶縁ケース
７  指掛け部
【図１】
0003141813.tif 000003
【図２】
0003141813.tif 000004
【図３】
0003141813.tif 000005
【図４】
0003141813.tif 000006
【図５】
0003141813.tif 000007